(57)【要約】【課題】同じ機種であってもユーザが異なることで独自性が発揮できる携帯電話機、テンプレートの取得方法、及び、プログラムを提供する。【解決手段】携帯電話機５０は、電子メールの送信及び受信の少なくとも一方を行う無線通信部４１と、所定の情報を記憶する記憶部３０と、無線通信部４１を介して送信及び受信の少なくとも一方がされた電子メールの送信又は受信の回数をカウントし、該回数が予め設定した規定回数以上になったか否かを判別し、該回数が規定回数以上になったことを条件として、記憶部３０からテンプレートファイルを読み出し、テンプレートフォルダ３２に保存することで携帯電話機５０で当該テンプレートファイルに対応するテンプレートを携帯電話機５０で利用可能とする制御部２０と、を備えている。【選択図】図１
2011081584.tif 000002
【特許請求の範囲】
【請求項１】
電子メールの送信及び受信の少なくとも一方を行う通信部と、
所定の情報を記憶する記憶部と、
前記通信部を介して送信及び受信の少なくとも一方がされた電子メールの送信又は受信の回数、又は、送信及び受信の少なくとも一方がされた電子メールの総情報量を計測し、前記回数又は総情報量が予め設定した所定値以上になったか否かを判別し、前記回数又は総情報量が前記所定値以上になったことを条件として、前記記憶部から前記所定の情報を取得し、この通信端末で利用可能な状態とする制御部と、を備える、
ことを特徴とする通信端末。
【請求項２】
音、光、画像又は振動により報知する報知部を更に備え、
前記制御部は、前記報知部を介して、前記情報が利用可能となった旨を報知することを特徴とする請求項１に記載の通信端末。
【請求項３】
前記制御部は、特定される相手との間で送信又は受信がされた電子メールに限り、送信及び受信の少なくとも一方がされた電子メールの送信又は受信の回数、又は、送信及び受信の少なくとも一方がされた電子メールの総情報量を計測することを特徴とする請求項１又は２に記載の通信端末。
【請求項４】
前記記憶部は、前記所定の情報としてのテンプレートファイルを記憶しており、
前記制御部は、前記通信部を介して送信及び受信の少なくとも一方がされた電子メールの送信又は受信の回数、又は、送信及び受信の少なくとも一方がされた電子メールの総情報量が予め設定した所定値以上となったことを条件として、前記記憶部から前記テンプレートファイルを読み出し、この通信端末でテンプレートとして利用可能な状態とすることを特徴とする請求項１乃至３のいずれか１項に記載の通信端末。
【請求項５】
前記制御部は、前記通信部を介して送信及び受信の少なくとも一方がされた電子メールの送信又は受信の回数、又は、送信及び受信の少なくとも一方がされた電子メールの総情報量が予め設定した所定値以上になったことを条件として、前記テンプレートファイルを擬似電子メールに添付し、該擬似電子メールを前記記憶部に設けた受信フォルダに格納することを特徴とする請求項４に記載の通信端末。
【請求項６】
電子メールの送信及び受信の少なくとも一方を行う通信部と、
テンプレートファイルを含む所定の情報を記憶する記憶部と、を有する通信端末にて実行されるテンプレートの取得方法であって、
前記通信部により送信及び受信の少なくとも一方がされた電子メールの送信又は受信の回数、又は送信及び受信の少なくとも一方がされた電子メールの総情報量を計測し、
前記回数又は総情報量が予め設定した所定値以上になったか否かを判別し、
前記回数又は総情報量が前記所定値以上になったことを条件として、前記記憶部から前記テンプレートファイルを読み出し、この通信端末でテンプレートとして利用可能な状態とする、
ことを特徴とするテンプレートの取得方法。
【請求項７】
電子メールの送信及び受信の少なくとも一方を行う通信部と、
テンプレートファイルを含む所定の情報を記憶する記憶部と、を有する通信端末に内蔵されたコンピュータを、
前記通信部により送信及び受信の少なくとも一方がされた電子メールの送信又は受信の回数、又は送信及び受信の少なくとも一方がされた電子メールの総情報量を計測する計測部、
前記回数又は総情報量が予め設定した所定値以上になったか否かを判別する判別部、
前記回数又は総情報量が前記所定値以上になったことを条件として、前記記憶部から前記テンプレートファイルを読み出し、この通信端末でテンプレートとして利用可能な状態とするテンプレート処理部、として機能させる、
ことを特徴とするプログラム。
【発明の詳細な説明】
【技術分野】
【０００１】
本発明は、通信端末、テンプレートの取得方法、及び、プログラムに関する。
【背景技術】
【０００２】
近年、携帯通信端末としての携帯電話機の機能は多様なものとなっており、電子メール送受信機能は、基本的な機能として携帯電話機に装備されている。
【０００３】
また、携帯電話機は、電子メールの使用頻度、つまり、電子メールの送受信回数や、送受信された電子メールの総情報量に依存せず、メモリ（記憶部）に格納された電子メール用のテンプレートファイル、コンテンツ、アプリケーションプログラムなどの情報が利用可能になっている（例えば、特許文献１参照）。
【先行技術文献】
【特許文献】
【０００４】
【特許文献１】特開２００６−３１８０８６号公報
【発明の概要】
【発明が解決しようとする課題】
【０００５】
そのような携帯電話機では、同じ機種を使用している限り、常に同じ情報が利用できるに過ぎないので、同機種間では、ユーザが異なっても携帯電話機の差別化がなされず、趣向性に乏しいものであった。
【０００６】
また、ウェッブサイトにアクセスすることでテンプレートなどの情報をダウンロードするのでは、意外性がなく、しかも、操作が煩わしいものとなってユーザの利便性が損なわれる。
【０００７】
本発明は、上記問題点に鑑みてなされたものであり、利便性を損なうことなく、同じ機種であってもユーザが異なることにより独自性が発揮できる通信端末を提供することを目的とする。
【課題を解決するための手段】
【０００８】
本発明の第１観点に係る通信端末は、
電子メールの送信及び受信の少なくとも一方を行う通信部と、
所定の情報を記憶する記憶部と、
前記通信部を介して送信及び受信の少なくとも一方がされた電子メールの送信又は受信の回数、又は、送信及び受信の少なくとも一方がされた電子メールの総情報量を計測し、前記回数又は総情報量が予め設定した所定値以上になったか否かを判別し、前記回数又は総情報量が前記所定値以上になったことを条件として、前記記憶部から前記所定の情報を取得し、この通信端末で利用可能な状態とする制御部と、を備える、
ことを特徴とする。
【０００９】
また、本発明の第２の観点に係るテンプレートの取得方法は、
電子メールの送信及び受信の少なくとも一方を行う通信部と、
テンプレートファイルを含む所定の情報を記憶する記憶部と、を有する通信端末にて実行される方法であって、
前記通信部により送信及び受信の少なくとも一方がされた電子メールの送信又は受信の回数、又は送信及び受信の少なくとも一方がされた電子メールの総情報量を計測し、
前記回数又は総情報量が予め設定した所定値以上になったか否かを判別し、
前記回数又は総情報量が前記所定値以上になったことを条件として、前記記憶部から前記テンプレートファイルを読み出し、この通信端末でテンプレートとして利用可能な状態とする、
ことを特徴とする。 
【００１０】
また、本発明の第３の観点に係るプログラムは、
電子メールの送信及び受信の少なくとも一方を行う通信部と、
テンプレートファイルを含む所定の情報を記憶する記憶部と、を有する通信端末に内蔵されたコンピュータを、
前記通信部により送信及び受信の少なくとも一方がされた電子メールの送信又は受信の回数、又は送信及び受信の少なくとも一方がされた電子メールの総情報量を計測する計測部、
前記回数又は総情報量が予め設定した所定値以上になったか否かを判別する判別部、
前記回数又は総情報量が前記所定値以上になったことを条件として、前記記憶部から前記テンプレートファイルを読み出し、この通信端末でテンプレートとして利用可能な状態とするテンプレート処理部、として機能させる、
ことを特徴とする。 
【発明の効果】
【００１１】
本発明によれば、同じ機種であっても通信端末ごとに独自性が発揮できる。
【図面の簡単な説明】
【００１２】
【図１】本発明に係る通信端末が実現される携帯電話機の機能ブロック図である。
【図２】実施形態１に係るテンプレートを取得する処理を説明するためのフローチャートである。
【図３】実施形態１に係るテンプレートを取得する処理を説明するための模式図である。
【図４】実施形態２に係るテンプレートを取得する処理を説明するためのフローチャートである。
【図５】実施形態２に係るテンプレートを取得する処理を説明するための模式図である。
【発明を実施するための形態】
【００１３】
以下、本発明の実施の形態について図面を参照しながら説明する。
【００１４】
（実施形態１）
図１は、本実施形態に係る通信端末が実現される携帯電話機の概略構成を示す機能ブロック図である。
【００１５】
本実施形態に係る携帯電話機５０は、音声通話、電子メールの送信及び受信、インターネットへの接続、ＴＶ放送受信・再生などの通信機能を備えており、図１に示すように、制御部２０と、表示部２０ａと、操作部２０ｂと、記憶部３０と、無線通信部（通信部）４１と、ＬＥＤ（Light Emission Diode）４２と、振動部４３と、マイクロフォン４４と、スピーカ４５と、を備えている。
【００１６】
表示部２０ａは、液晶表示装置や有機ＥＬ（Electroluminescence）表示装置などから構成され、電子メールなどの文字情報や各種の画像情報を表示する。操作部２０ｂは、テンキー、スクロールキー、十字キー、決定キーなどから構成されている。無線通信部４１は、図示しないアンテナから受信した音声情報や電子メールなどの所定の情報を含む電波を復調して所定の情報を含む電気信号に変換するとともに、音声情報や電子メールなどの所定の情報を含む電気信号を変調してアンテナから所定の情報を含む電波として送信する。振動部４３は、振動モータからなり、モータの回転軸に重心が偏心するように分銅を取り付け、モータが回転すると、重心の不釣り合いのため振動が発生する。
【００１７】
制御部２０は、ＣＰＵ（Central Processing Unit）を含むマイコンから構成され、記憶部３０に格納されたプログラムにより動作する。
また、制御部２０は、無線通信部４１を介して無線基地局との間で送信及び受信される電子メールを処理するメール送受信処理部２１と、送信及び受信の少なくとも一方がなされた電子メールの送信又は受信の回数をカウント（計測）するカウント部（計測部）２２と、制御部２０全体の処理を統括する統括処理部２３と、を備えている。
【００１８】
さらに、制御部２０は、マイクロフォン４４及びスピーカ４５から入力及び出力される音声情報を処理する音声処理部２４と、表示部２０ａに表示する電子メールなどの文字情報や各種の画像情報を処理する表示処理部２５と、電子メールを作成し、作成した電子メールにテンプレートファイルを添付するメール作成部２６と、テンプレートファイルを処理するテンプレート処理部２７と、を備えている。
【００１９】
そして、制御部２０は、マイクロフォン４４から入力されたユーザなどの音声情報を音声処理部２４で変調して電気信号とし、無線通信部４１を介して無線ネットワークに音声情報を含む電波を送信するとともに、無線ネットワークから無線通信部４１を介して受信した音声情報を含む電波を音声処理部２４で復調して電気信号とし、スピーカ４５から音声として出力する。
【００２０】
また、制御部２０は、操作部２０ｂから電話番号や電子メールのメールアドレス及びメッセージ文などの各種情報の入力を受け付けると共に、操作部２０ｂによってインターネットへの接続、ＴＶ放送受信・再生などの各種機能を選択させる。また、制御部２０は、振動部４３を制御し、振動を発生させる。
【００２１】
記憶部３０は、ＲＡＭ（Random Access Memory）、ＲＯＭ（Read Only Memory）、ハードディスク装置、フラッシュメモリなどから構成され、制御部２０を動作させるプログラムやそのプログラムに利用される各種のデータを格納すると共に、制御部２０の作業領域となる。
【００２２】
また、記憶部３０は、電子メールを格納するメールフォルダ３１と、テンプレートファイルを保存するテンプレートフォルダ３２と、各種のテンプレートファイルを記憶するテンプレート記憶領域３３と、を備える。
メールフォルダ３１は、無線通信部４１が受信した電子メールが格納される受信フォルダ３１ａと、無線通信部４１が送信する電子メールが格納される送信フォルダ３１ｂとを有する。また、記憶部３０は、電話番号や電子メールのメールアドレス及びメッセージ文などを記憶する。
【００２３】
記憶部３０のメールフォルダ３１には、制御部２０のメール送受信処理部２１がアクセス可能となっている。つまり、メール送受信処理部２１は、無線通信部４１が受信した電子メールをメールフォルダ３１の受信フォルダ３１ａに保存すると共に、無線通信部４１が送信する電子メールをメールフォルダ３１のる送信フォルダ３１ｂから読み出す。また、制御部２０のメール作成部２６は、作成した電子メールを記憶部３０の受信フォルダ３１ａに保存する。さらに、制御部２０のテンプレート処理部２７は、記憶部３０のテンプレート記憶領域３３からＪＰＥＧ形式やＧＩＦ形式などの所定の画像ファイル形式で記憶されていたテンプレートファイルを読み出すとともに、記憶部３０のテンプレートフォルダ３２にテンプレートファイルを保存する。テンプレートファイルは、所定の画像ファイル形式のままでテンプレートフォルダ３２に保存されると、携帯電話機５０でテンプレートとして利用可能となる。つまり、テンプレートファイルをこのような画像ファイル形式でテンプレートフォルダ３２に保存することにより、当該テンプレートファイルに対応するテンプレートが表示部２０ａに表示させることが可能となり、電子メールの雛形として使用したり、電子メールに添付して送信したりすることができるようになる。
【００２４】
そして、制御部２０は、記憶部３０に格納されたプログラムによって、携帯電話機５０による電子メールの送信及び受信を制御する。即ち、プログラムは、メール送受信処理部２１によって電子メールの記憶部３０への記憶及び読み出し機能を実現し、カウント部２２によって、送信及び受信の少なくとも一方がなされた電子メールの送信又は受信の回数をカウント（計測）する機能を実現する。また、プログラムは、メール作成部２６によって電子メールを作成し、作成した電子メールを記憶部３０の受信フォルダ３１ａに保存し、作成した電子メールにテンプレートファイルを添付する機能を実現し、テンプレート処理部２７によって記憶部３０のテンプレート記憶領域３３からテンプレートファイルを読み出すとともに、記憶部３０のテンプレートフォルダ３２にテンプレートファイルを保存する機能を実現し、統括処理部２３によって、制御部２０全体の処理を統括する機能を実現する。
【００２５】
次に、本実施形態に係る携帯電話機５０による、テンプレートの取得処理を、図２のフローチャートを参照して説明する。
まず、制御部２０の統括処理部２３は、メール送受信処理部２１において電子メールの送信及び受信の少なくとも一方の処理が行われたか否かを判別する（ステップＳ１０１）。
【００２６】
統括処理部２３は、電子メールの送信及び受信の少なくとも一方の処理が行われていないと判別すると（ステップＳ１０１：Ｎｏ）、メール送受信処理部２１における電子メールの送信及び受信の少なくとも一方の処理の検出を継続する（ステップＳ１０１）。
【００２７】
一方、統括処理部２３は、電子メールの送信及び受信の少なくとも一方の処理が行われたと判別した場合に（ステップＳ１０１：Ｙｅｓ）、統括処理部２３は、カウント部２２でカウント値を１つずつインクリメントする（ステップＳ１０２）。なお、このカウント値は、初期状態では０であり、ユーザが当該携帯電話機５０の使用を開始した時から合計される。
【００２８】
そして、統括処理部２３は、カウント値が予め設定した規定回数以上か未満かを判別する（ステップＳ１０３）。この規定回数は携帯電話機５０の製造元で記憶部３０に予めデータとして格納され、本プログラムによって使用されるものである。
ここでは、規定回数を、送信及び受信の少なくとも一方がなされた電子メールの送信又は受信の回数の総合計値とし、送受信１０回、１００回、１０００回、のように１０回から始めて１桁ずつ繰り上げたものをそれぞれ用いる。
なお、規定回数は、このように送信及び受信の少なくとも一方がなされた電子メールの送信又は受信の回数の総合計値（例えば、送受信１０回、１００回、１０００回、…）とすることもできるし、送信又は受信がなされた電子メールの送信又は受信の各合計値（例えば、送信１０回、１００回、１０００回、…；受信１０回、１００回、１０００回、…）とすることもできる。
【００２９】
統括処理部２３は、例えば、カウント値が規定回数である１００回以上となったと判別すると（ステップＳ１０３：Ｙｅｓ）、テンプレート処理部２７を制御し、テンプレート記憶領域３３からテンプレートファイルを読み出し、テンプレートとして利用可能な状態とする（ステップＳ１０４）。つまり、統括処理部２３は、テンプレート処理部２７によって、テンプレート記憶領域３３からテンプレートファイルを読み出し、携帯電話機５０でテンプレートとして利用可能な状態とする。
【００３０】
具体的には、図３に示すように、統括処理部２３は、送信及び受信の少なくとも一方がなされた電子メールの送信又は受信の回数の総合計値が１００回以上となると、携帯電話機５０でテンプレートが利用可能となるように、テンプレートファイルをテンプレートフォルダ３２に保存する。つまり、統括処理部２３は、テンプレート処理部２７を制御し、表示部２０ａに表示し、かつ電子メールに添付して送信できないようにテンプレート記憶領域３３に記憶されていたテンプレートファイルを読み出す。そして、テンプレートファイルを、表示部２０ａに表示し、かつ電子メールに添付して送信できる状態に変更するために、テンプレートフォルダ３２に保存する。これにより、携帯電話機５０で当該テンプレートファイルに対応するテンプレートを表示部２０ａに表示させることができ、かつ電子メールの雛形として使用可能となるとともに、電子メールに添付して送信することができるようになる。
【００３１】
本実施形態では、送信及び受信の少なくとも一方がなされた電子メールの送信又は受信の回数の総合計値が、送受信１０回、１００回、１０００回と、各規定回数以上になるごとに、それぞれ種類の異なるテンプレートファイルがテンプレート記憶領域３３から読み出され、利用可能な状態、即ち、表示部２０ａに表示させることができ、かつ電子メールの雛形として使用可能となるように、テンプレートフォルダ３２に保存される。即ち、各規定回数ごとに異なるテンプレートファイルがテンプレートとして利用可能となる。
【００３２】
その後、統括処理部２３は、音声処理部２４によりスピーカ４５から所定の音声を吹鳴させ、電子メールの送信及び受信の回数の総合計値が規定回数以上となった旨、及び、新たなテンプレートが利用可能となった旨を報知する（ステップＳ１０５）。具体的には、「電子メールの送受信の回数が１００回になりました。新たなテンプレートが利用可能になりました。」などと音声で報知する。この後、統括処理部２３は、ステップＳ１０１に戻り、メール送受信処理部２１における電子メールの送信及び受信の少なくとも一方の処理の検出を継続する。
【００３３】
一方、統括処理部２３は、カウント値が規定回数未満であると判別した場合に（ステップＳ１０３：Ｎｏ）、ステップＳ１０１に戻り、メール送受信処理部２１における電子メールの送信及び受信の少なくとも一方の処理の検出を継続する。
【００３４】
本実施形態に係る携帯電話機５０によれば、送信及び受信の少なくとも一方がなされた電子メールの送信又は受信の回数の総合計値が予め複数種設定した規定回数以上となるごとに、それぞれ種類の異なるテンプレートファイルがテンプレート記憶領域３３から読み出され、利用可能な状態、即ち、表示部２０ａに表示させることができ、かつ電子メールの雛形として使用可能となるように、テンプレートフォルダ３２に保存される。このため、携帯電話機５０が同じ機種であっても、電子メールの使用頻度に応じて異なる機能を有するテンプレートが利用可能となるので、携帯電話機５０ごとに独自性が発揮できるようになる。
【００３５】
（実施形態２）
本実施形態では、携帯電話機５０によって、テンプレートを取得する別の処理を行う。なお、実施形態１と共通する構成については同じ参照番号を用いて説明を省略する。
【００３６】
図４のフローチャートに示すように、まず、制御部２０の統括処理部２３は、メール送受信処理部２１において電子メールの送信及び受信の少なくとも一方の処理が行われたか否かを判別する（ステップＳ２０１）。
【００３７】
統括処理部２３は、電子メールの送信及び受信の少なくとも一方の処理が行われていないと判別すると（ステップＳ２０１：Ｎｏ）、メール送受信処理部２１における電子メールの送信及び受信の少なくとも一方の処理の検出を継続する（ステップＳ２０１）。
【００３８】
一方、統括処理部２３は、電子メールの送信及び受信の少なくとも一方の処理が行われたと判別した場合に（ステップＳ２０１：Ｙｅｓ）、統括処理部２３は、カウント部２２でカウント値を１つずつインクリメントする（ステップＳ２０２）。なお、このカウント値は、初期状態では０であり、ユーザが当該携帯電話機５０の使用を開始した時から合計される。
【００３９】
そして、統括処理部２３は、カウント値が予め設定した規定回数以上か未満かを判別する（ステップＳ２０３）。この規定回数は携帯電話機５０の製造元で記憶部３０に予めデータとして格納され、本プログラムによって使用されるものである。
ここでは、規定回数を、実施形態１と同様に、電子メールの送信回数と受信回数の総合計値とし、送受信１０回、１００回、１０００回、のように１０回から始めて１桁ずつ繰り上げたものをそれぞれ用いる。
なお、規定回数は、このように送信及び受信の少なくとも一方がなされた電子メールの送信又は受信の総合計値（例えば、送受信１０回、１００回、１０００回、…）とすることもできるし、送信及び受信の少なくとも一方がなされた電子メールの送信又は受信の回数の各合計値（例えば、送信１０回、１００回、１０００回、…；受信１０回、１００回、１０００回、…）とすることもできる。
【００４０】
統括処理部２３は、例えば、カウント値が規定回数である１００回以上になったと判別すると（ステップＳ２０３：Ｙｅｓ）、テンプレート処理部２７を制御し、テンプレート記憶領域３３からテンプレートファイルを読み出し、携帯電話機５０でテンプレートとして利用可能な状態とする（ステップＳ２０４）。
【００４１】
具体的には、図５に示すように、統括処理部２３は、送信及び受信の少なくとも一方がなされた電子メールの送信又は受信の回数の総合計値が１００回以上となると、携帯電話機５０でテンプレートが利用可能となるように、テンプレートファイルを擬似電子メールに添付する。つまり、統括処理部２３は、テンプレート処理部２７及びメール作成部２６を制御し、テンプレート記憶領域３３からＪＰＥＧ形式やＧＩＦ形式などの所定の画像ファイル形式で保存されていたテンプレートファイルを読み出し、このテンプレートファイルをその画像ファイル形式のままでメール作成部２６で作成した擬似電子メールに添付する（ステップＳ２０４）。この「擬似電子メール」とは、実際には送信しないが、テンプレートファイルの添付機能を含め、無線基地局への送信に使用される電子メールと同じ機能を有するものをいう。また、擬似電子メールには、添付されたテンプレートファイルをテンプレートフォルダ３２に保存する方法を示す情報（説明文）が記録されており、擬似電子メールを表示部２０ａに表示させることで、ユーザがその方法に基づいて操作部２０ｂを操作し、テンプレートファイルをテンプレートフォルダ３２に保存できるようになっている。
【００４２】
本実施形態では、実施の形態１と同様に、送信及び受信の少なくとも一方がなされた電子メールの送信又は受信の回数の総合計値が、送受信１０回、１００回、１０００回と、各規定回数以上になるごとに、それぞれ種類の異なるテンプレートファイルが、擬似電子メールに添付される。即ち、各規定回数ごとに異なる機能を有するテンプレートが利用可能となる。
【００４３】
次に、統括処理部２３は、メール送受信処理部２１を制御し、テンプレートファイルが添付された擬似電子メールを受信フォルダ３１ａに格納する（ステップＳ２０５）。つまり、通常の電子メールが無線基地局から送信され、無線通信部４１で受信した場合と同様な状態となるので、擬似電子メールを受信した旨は従来の携帯電話機と同様に知ることができる。また、受信フォルダ３１ａに格納された擬似電子メールを表示部２０ａに表示することも、従来の携帯電話機と同様に行うことができる。
【００４４】
その後、統括処理部２３は、音声処理部２４によりスピーカ４５から所定の音声を吹鳴させ、送信及び受信の少なくとも一方がなされた電子メールの送信又は受信の回数が規定回数以上となった旨、及び、新たなテンプレートが利用可能となった旨を報知する（ステップＳ２０６）。具体的には、「電子メールの送受信の回数が１００回になりました。疑似電子メールを受信しました。新たなテンプレートが利用可能になります。」などと音声で報知する。この後、統括処理部２３は、ステップＳ２０１に戻り、メール送受信処理部２１における電子メールの送信及び受信の少なくとも一方の処理の検出を継続する。
【００４５】
そして、ユーザは、受信フォルダ３１ａに格納された擬似電子メールを表示部２０ａに表示させ、擬似電子メール擬似電子メールに表示された情報（説明文）に基づいて操作部２０ｂを操作し、擬似電子メールに添付されたテンプレートファイルをテンプレートフォルダ３２に保存することができる。これにより、携帯電話機５０で当該テンプレートファイルに対応するテンプレートを表示部２０ａに表示させることができ、かつ電子メールの雛形として使用可能となるとともに、電子メールに添付して送信することができるようになる。
【００４６】
一方、統括処理部２３は、カウント値が規定回数未満であると判別した場合に（ステップＳ２０３：Ｎｏ）、ステップＳ２０１に戻り、メール送受信処理部２１における電子メールの送信及び受信の少なくとも一方の処理の検出を継続する。
【００４７】
本実施形態に係る携帯電話機５０によれば、送信及び受信の少なくとも一方がなされた電子メールの送信又は受信の回数の総合計値が予め複数設定した規定回数以上となるごとに、擬似電子メールにそれぞれ種類の異なるテンプレートファイルが添付されるとともに、その擬似電子メールが受信フォルダ３１ａに保存されるようになる。そして、擬似電子メールには、添付されたテンプレートファイルをテンプレートフォルダ３２に保存する方法を示す情報が記録されており、擬似電子メールが表示部２０ａに表示されることで、ユーザがその方法に基づいて操作部２０ｂを操作し、そのテンプレートファイルをテンプレートフォルダ３２に保存することができる。このため、携帯電話機５０が同じ機種であっても、電子メールの使用頻度に応じて異なる機能を有するテンプレートが利用可能となり、携帯電話機５０ごとに独自性が発揮できるようになる。
【００４８】
なお、上記実施形態に係る携帯電話機５０では、送信及び受信の少なくとも一方がなされた電子メールの送信又は受信の回数の総合計値が予め設定した規定回数に到達したことを条件として、新たなテンプレートが当該携帯電話機５０で利用可能となるように構成した。しかしこれに限られず、例えば、送信及び受信の少なくとも一方がされた電子メールの総情報量（累積の情報量）（キロバイト）に応じて、新たなテンプレートが当該携帯電話機５０で利用可能となるように構成することも可能である。
【００４９】
また、上記実施形態に係る携帯電話機５０では、送信及び受信の少なくとも一方がなされた電子メールの送信又は受信の回数の総合計値に応じて、所定の情報としての新たなテンプレートが当該携帯電話機５０で利用可能となるように構成した。しかし、所定の情報としてはこれに限られず、例えば、送信及び受信の少なくとも一方がなされた電子メールの送信又は受信の回数の総合計値に応じて、記憶部３０に格納した音楽ファイルなどのコンテンツの演奏や、記憶部３０に格納したアプリケーションプログラムを実行するように構成してもよい。
【００５０】
また、上記実施形態に係る携帯電話機５０では、不特定の相手との間で送信又は受信された電子メールの送信又は受信の回数の総合計値に応じて、新たなテンプレートが当該携帯電話機５０で利用可能となるように構成した。しかしこれに限られず、特定される相手と送信又は受信された電子メールに限り、その送信及び受信の少なくとも一方がなされた電子メールの送信又は受信の回数の総合計値に応じて、新たなテンプレートが当該携帯電話機５０で利用可能となるように構成することもできる。なおここで、電子メールを送信又は受信する特定の相手は、例えば、操作部２０ｂから入力し、記憶部３０に記憶させておくことができる。また、電子メールを送信又は受信する相手が特定される相手か否かの判別は、制御部２０の統括処理部２３で行うことができ、統括処理部２３は、特定される相手であると判別した場合にのみ、カウント部２２で当該送信及び受信の少なくとも一方がなされた電子メールの送信又は受信の回数の総合計値をカウントする。
【００５１】
また、上記実施形態に係る携帯電話機５０では、新たなテンプレートが利用可能となった旨を音声でユーザに報知させるようにした。しかしこれに限られず、例えば、新たなテンプレートが利用可能となった旨は、スピーカ４５からブザー音で報知することもできる。また、表示部２０ａに所定のアイコン画像などを表示すると共にそのアイコン画像を選択することで表示部２０ａに新たなテンプレートが保存されたテンプレートフォルダを表示することで報知することもできるし、携帯電話機５０に設けたＬＥＤ４２を発光又は点滅させることで報知することもできる。さらには、振動部４３を所定の振動パターンで振動させることで報知することもできるし、これらの複数の報知手段を組み合わせて報知することもできる。
【００５２】
また、上記実施形態２の携帯電話機５０では、送信及び受信の少なくとも一方がなされた電子メールの送信又は受信の回数の総合計値に応じて、記憶部３０からテンプレートファイルを読み出し、このテンプレートファイルをメール作成部２６で作成した擬似電子メールに添付し、この擬似電子メールを受信フォルダ３１ａに保存するようにした。しかしこれに限られず、例えば、送信及び受信の少なくとも一方がなされた電子メールの送信又は受信の回数の総合計値に応じて、メール作成部２６で、テンプレートがダウンロードできるウェッブサイトのＵＲＬ（Uniform Resource Locator）を記録した擬似電子メールを作成する。そして、この擬似電子メールが受信フォルダ３１ａに保存され、その擬似電子メールが表示部２０ａに表示されることで、ユーザがそのＵＲＬで示されるウェッブサイトにアクセスし、テンプレートが利用可能となるようにしてもよい。
【００５３】
また、上記実施形態２の携帯電話機５０では、送信及び受信の少なくとも一方がなされた電子メールの送信又は受信の回数の総合計値に応じて、記憶部３０からテンプレートファイルを読み出し、このテンプレートファイルをメール作成部２６で作成した擬似電子メールに添付し、この擬似電子メールを受信フォルダ３１ａに保存するようにした。しかしこれに限られず、例えば、送信及び受信の少なくとも一方がなされた電子メールの送信又は受信の回数の総合計値に応じて、表示部２０ａがアイコン画像を表示し、そのアイコン画像が選択されると、統括処理部２３及びテンプレート処理部２７によって、テンプレート記憶領域３３に記憶されていたテンプレートファイルが、テンプレートフォルダ３２に保存され、テンプレートとして利用可能となるようにしてもよい。
【００５４】
本発明は、上記実施形態で説明した携帯電話機に限らず、例えば、携帯可能で通信機能を有する携帯型ＰＣ（Mobile Personal Computer）、ＰＤＡ（Personal Digital Assistant；携帯情報端末）などの通信端末においても適用することができる。すなわち、以上に記載した実施形態は説明のためのものであり、本発明の範囲を制限するものではない。したがって、当業者であればこれらの各要素または全要素をこれと均等なものに置換した実施形態を採用することが可能であるが、これらの実施形態も本発明の範囲に含まれる。
【符号の説明】
【００５５】
２０    制御部
２０ａ  表示部
２０ｂ  操作部
２１    メール送受信処理部
２２    カウント部（計測部）
２３    統括処理部
３０    記憶部
３１    メールフォルダ
３２    テンプレートフォルダ
３３    テンプレート記憶領域
４１    無線通信部（通信部）
４２    ＬＥＤ（発光ダイオード）
４３    振動部
４４    マイクロフォン
４５    スピーカ
５０    携帯電話機（通信端末）
【図１】
2011081584.tif 000003
【図２】
2011081584.tif 000004
【図３】
2011081584.tif 000005
【図４】
2011081584.tif 000006
【図５】
2011081584.tif 000007